(57)【要約】【課題】高周波数の電磁波に対しても高い電磁波遮蔽性能を備え、電磁波の遮蔽面の損傷及び劣化を防止することができる電磁波遮蔽構造体を提供することを課題としている。【解決手段】第１壁体４ａと第２壁体４ｂとを厚さ方向に積層することにより電磁波を遮蔽する電磁波遮蔽構造体１であって、第１壁体４ａと第２壁体４ｂは、一面に電磁波を遮蔽する遮蔽面２ａ，２ｂを有する石膏ボード３（板状部材）を用い、各遮蔽面２ａ，２ｂが同一面になるように複数枚の石膏ボード３を並設して配置することにより形成されており、第１壁体４ａの遮蔽面２ａ側の面と、第２壁体４ｂの遮蔽面２ｂ側の面を接合させるとともに、第１壁体４ａの各目地が第２壁体４ｂの遮蔽面２ｂで塞がれるように、各石膏ボード３が配置されていることを特徴としている。【選択図】　図１
2004084383.tif 000002
【特許請求の範囲】
【請求項１】
第１壁体と第２壁体とを厚さ方向に積層することにより電磁波を遮蔽する電磁波遮蔽構造体であって、
前記第１壁体と前記第２壁体は、
一面に電磁波を遮蔽する遮蔽面を有する板状部材を用い、
前記各遮蔽面が同一面になるように複数枚の前記板状部材を並設して配置することにより形成されており、
前記第１壁体の前記遮蔽面側の面と、前記第２壁体の前記遮蔽面側の面を接合させるとともに、
前記第１壁体の各目地が前記第２壁体の前記遮蔽面で塞がれるように、前記各板状部材が配置されていることを特徴とする電磁波遮蔽構造体。
【発明の詳細な説明】
【０００１】
【発明の属する技術分野】
本発明は、電磁波を遮蔽する電磁波遮蔽構造体に関する。
【０００２】
【従来の技術】
従来、電磁波がコンピュータ等の電子機器に与える影響を防止するために、電子機器が設置されている部屋への電磁波の漏洩を低減する電磁波遮蔽構造体としては、図２に示すように、アルミニウム箔６で覆われた遮蔽面２を有する石膏ボード３（板状部材）を、各遮蔽面２が同一面になるように室長方向に並設して壁体４を形成する電磁波遮蔽構造体１０がある。この従来の電磁波遮蔽構造体１０では、室外２１からの電磁波が導電性のアルミニウム箔６に遮蔽されるため、壁体４から室内２０への電磁波の漏洩が低減される。なお、符号７は、壁体４の目地５を塞ぐことにより、目地５に進入した電磁波を遮蔽する導電性のテープである。
【０００３】
【発明が解決しようとする課題】
しかしながら、従来の電磁波遮蔽構造体１０では、以下の問題が存在している。
従来から高い電磁波遮蔽性能が望まれているが、表１に示すように、従来の電磁波遮蔽構造体１０の遮蔽性能は、周波数が高い３００ＭＨｚでは２０ｄＢとなり、遮蔽性能が著しく低減してしまうという問題がある。なお、表１は、ＭＩＬ−ＳＴＤ−２８５法による電磁波遮蔽性能の測定結果である。
また、壁体４の目地５に進入した電磁波を遮蔽するため、導電性を有するテープ７や目地金具で目地を塞ぐ必要があり、電磁波遮蔽構造体１０の構築作業が煩雑になってしまうという問題がある。
さらに、遮蔽面２が露出されているため、遮蔽面２の破損や劣化により、電磁波遮蔽性能が低減してしまう可能性が高くなるという問題がある。
【０００４】
【表１】
2004084383.tif 000003
【０００５】
本発明は、前記問題を解決するためになされたものであり、高周波数の電磁波に対しても高い電磁波遮蔽性能を備え、遮蔽面の損傷及び劣化を防止することができる電磁波遮蔽構造体を提供することを課題としている。
【０００６】
【課題を解決するための手段】
本発明は、前記課題を解決すべく構成されるものであり、請求項１に記載の発明は、第１壁体と第２壁体とを厚さ方向に積層することにより電磁波を遮蔽する電磁波遮蔽構造体であって、第１壁体と第２壁体は、一面に電磁波を遮蔽する遮蔽面を有する板状部材を用い、各遮蔽面が同一面になるように複数枚の板状部材を並設して配置することにより形成されており、第１壁体の遮蔽面側の面と、第２壁体の遮蔽面側の面を接合させるとともに、第１壁体の各目地が第２壁体の遮蔽面で塞がれるように、各板状部材が配置されていることを特徴としている。
【０００７】
ここで、遮蔽面の構成は限定されるものではないが、例えば、アルミニウム箔、鉄箔、銅箔などの導電性の金属箔で覆われた面であり、電磁波遮蔽構造体の構築作業を簡易化及び迅速化させるため、板状部材を施工現場に搬入する前に、予め工場等で金属箔を貼付しておくことが好ましい。
また、板状部材の形状及び材料は限定されるものではなく、例えば、石膏ボード、合板、木質繊維板、スレート板などを適宜選定することができる。
さらに、板状部材が並設される方向は限定されるものではなく、横方向や縦方向など、構築する壁体に対応させて適宜に設定することができる。
【０００８】
この発明によれば、各壁体の遮蔽面側の面同士を接合させて２重にすることにより、電磁波の遮蔽性能が大幅に高まるため、高周波数の電磁波であっても効果的に遮蔽され、電磁波遮蔽構造体を通過して漏洩する電磁波を大幅に低減することができる。
【０００９】
また、各壁体の目地は、互いに接合された壁体の遮蔽面により塞がれているため、目地をテープや目地金物で塞ぐことなく、目地に進入した電磁波を遮蔽することができる。なお、第１壁体の板状部材の端部と、第２壁体の板状部材の端部とを、最小１００ｍｍの間隔でオーバラップさせる構成や、各壁体における板状部材の端部同士を最大１ｍｍの間隔で並設させて目地を形成する構成にすることにより、電磁波遮蔽性能を高めることが好ましい。
【００１０】
さらに、各壁体の遮蔽面同士が接合されており、遮蔽面が露出されないため、遮蔽面の損傷や劣化を防止することができる。これは、本発明の電磁波遮蔽構造体を建物の壁材や天井材に適用する場合に有効であり、遮蔽面を特別に保護することなく、電磁波遮蔽構造体を形成することができるため、建物の施工が煩雑になることを防止することができる。
【００１１】
したがって、本発明の電磁波遮蔽構造体では、高周波数の電磁波に対しても、高い電磁波遮蔽性能を備えるとともに、遮蔽面を確実に保護することができる。
【００１２】
【発明の実施の形態】
以下、添付図面を参照して、本発明の実施形態について詳細に説明する。
【００１３】
本発明の実施形態に係る電磁波遮蔽構造体は、建物の各種部分（例えば側壁、天井など）に適用可能であるが、この実施形態では、建物の側壁に適用する場合を例として説明する。
【００１４】
図１は、本発明の実施形態に係る電磁波遮蔽構造体を示した平面断面図である。
【００１５】
まず、本発明の実施形態に係る電磁波遮蔽構造体の構成について説明する。
電磁波遮蔽構造体１は、図１に示すように、室内２０と室外２１を仕切るための側壁であり、第１壁体４ａと第２壁体４ｂとが厚さ方向に積層されることにより構成されており、第１壁体４ａと第２壁体４ｂは、一面に電磁波を遮蔽する遮蔽面２ａ，２ｂを有する石膏ボード３（板状部材）を用い、各遮蔽面２ａ，２ｂが同一面になるように、同一寸法である複数枚の石膏ボード３を室長方向に並設して配置することにより形成されており、第１壁体４ａの遮蔽面２ａと、第２壁体４ｂの遮蔽面２ｂを接合させるとともに、第１壁体４ａの各目地が第２壁体４ｂの遮蔽面２ｂで塞がれるように、各石膏ボード３が配置されている。
【００１６】
石膏ボード３は、既存の建築材であり、この石膏ボード３を２重に設置する施工は一般的に実施されており、簡易に施工することができる。また、石膏ボード３は、導電性を有するアルミニウム箔６が貼設されることにより覆われた遮蔽面２ａ，２ｂを有している。
【００１７】
壁体４ａ，４ｂは、複数の石膏ボード３が平面状に横方向で並設されたものであり、石膏ボード３，３の端部同士を最大１ｍｍの間隔で室長方向に並設させて目地５ａ，５ｂを形成している。また、第１壁体４ａの石膏ボード３の端部と、第２壁体４ｂの石膏ボード３の端部とを、最小１００ｍｍの間隔でオーバラップさせている。
【００１８】
次に、本発明の実施形態に係る電磁波遮蔽構造体１の作用について説明する。
まず、電磁波は、室外２１から室内２０に向かって電磁波遮蔽構造体１を通過する。このとき、電磁波遮蔽構造体１の内部に設けられた２重の遮蔽面２ａ，２ｂにより効果的に電磁波が遮蔽される。すなわち、電磁波遮蔽構造体１を通過する電磁波の大部分が遮蔽されるため、電磁波遮蔽構造体１から室内２０に漏洩する電磁波が少なくなる。
【００１９】
また、第１壁体４ａの目地５ａは、第２壁体４ｂの遮蔽面２ｂで塞がれているため、目地５ａに導電性を有するテープや目地金具を設けることなく、目地５ａに進入した電磁波は遮蔽面２ｂによって確実に遮蔽される。
【００２０】
ここで、表２に示すように、本発明に係る電磁波遮蔽構造体１では、１ＧＨｚの電磁波であっても、６０ｄＢ程度の電磁波遮蔽性能を備えている。
【００２１】
【表２】
2004084383.tif 000004
【００２２】
したがって、本発明の実施形態に係る電磁波遮蔽構造体１では、２重の遮蔽面２ａ，２ｂにより高い電磁波遮蔽性能を確保することができる。なお、表３は、各壁体４ａ，４ｂの遮蔽面２ａ，２ｂ側の面同士を接合させることなく、遮蔽面２ａ，２ｂ同士の間に石膏ボード３を介在させ、各遮蔽面２ａ，２ｂが隔離するようにして、２体の壁体４ａ，４ｂを積層した場合の電磁波遮蔽性能を示した表である。表３によれば、高い周波数である３００ＭＨｚの場合の電磁波遮蔽性能は、４０ｄＢであり、各遮蔽面２ａ，２ｂを隔離した構成の電磁波遮蔽構造体よりも、本発明の電磁波遮蔽構造体１が高い電磁波遮蔽性能を備えており、遮蔽面２ａ，２ｂを２重に設置することによる電磁波遮蔽性能への有効性が示されている。
【００２３】
【表３】
2004084383.tif 000005
【００２４】
また、電磁波遮蔽構造体１では、遮蔽面２ａ，２ｂが露出されないため、遮蔽面２ａ，２ｂが損傷することがない。また、遮蔽面２ａ，２ｂは石膏ボード３に保護されるため、遮蔽面２ａ，２ｂの経年劣化が防止される。したがって、電磁波遮蔽構造体１において、遮蔽面２ａ，２ｂの損傷及び劣化による電磁波遮蔽性能の低減が防止されている。
【００２５】
以上、本発明の好適な実施形態についての一例を説明したが、本発明は前記実施形態に限定されず、本発明の趣旨を逸脱しない範囲で適宜設計変更が可能である。
例えば、壁体４ａ，４ｂを構成する複数の板状部材は、石膏ボード３に限定されるものではなく、合板、木質繊維板、スレート板など各種の板状部材を用いることができる。
また、遮蔽面２ａ，２ｂを構成する導電性の材料は、アルミニウム箔６に限定されるものではなく、電磁波を効果的に遮蔽することができる材料であれば、鉄箔、銅箔でもよい。さらに、材料の形態も箔に限定されるものではなく、電磁波遮蔽性能を有するシートや布でもよい。
【００２６】
【発明の効果】
本発明の電磁波遮蔽構造体によれば、遮蔽面同士を接合させて２重にすることにより、電磁波の遮蔽性能が大幅に高まり、高周波数の電磁波であっても効果的に遮蔽され、電磁波遮蔽構造体を通過して漏洩する電磁波を大幅に低減することができるため、高い電磁波遮蔽性能を示すことができる。
また、各壁体の目地は、互いに接合された壁体の遮蔽面により塞がれているため、テープや目地金物で目地を塞ぐことなく、目地に進入した電磁波を遮蔽することができる。
さらに、各壁体の遮蔽面側の面同士が接合されており、遮蔽面が露出されないため、遮蔽面の損傷や劣化が防止され、遮蔽面を確実に保護することができる。
【図面の簡単な説明】
【図１】本発明の電磁波遮蔽構造体を示した平面断面図である。
【図２】従来の電磁波遮蔽構造体を示した平面断面図である。
【符号の説明】
１・・・・電磁波遮蔽構造体
２ａ・・・・第１壁体の遮蔽面
２ｂ・・・・第２壁体の遮蔽面
３・・・・石膏ボード
４ａ・・・・第１壁体
４ｂ・・・・第２壁体
５ａ・・・・第１壁体の目地
５ｂ・・・・第２壁体の目地
６・・・・アルミニウム箔
【図１】
2004084383.tif 000006
【図２】
2004084383.tif 000007